(57)【特許請求の範囲】
【請求項１】
基層及びポケット層となる和紙部分をそれぞれ別個に漉いた後、
前記基層及びポケット層が水分を含んでいる状態で、前記基層上の所定位置に仕切板を介在させて前記ポケット層を重ね合わせ、
次いで、前記基層及びポケット層からなる含水和紙を圧搾した後、未乾燥状態で仕切り板を抜き取り、
その後、前記基層及びポケット層からなる未乾燥和紙を乾燥させることを特徴とするポケット付き和紙の製造方法。
【請求項２】
前記基層上にポケット層を重ね合わせた後、これらの表面上に再度薄く表面層となる和紙を漉くことを特徴とする請求項１記載のポケット付き和紙の製造方法。
【発明の詳細な説明】
【技術分野】
【０００１】
この発明は、ポケット付き和紙の製造方法に関し、さらに詳細には、種々の小物を入れることができるポケットが付いた和紙の製造方法に関する。
【背景技術】
【０００２】
和紙は楮や三椏などを原材料とし、日本古来の独自の製法により作られる紙として知られている。和紙は、西洋紙とは異なり、原材料である楮や三椏などの靱皮繊維の素材感を紙全体に残し、この素材感と相俟って独特の風合いや自然感等を与えてくれるものであるため、従来より便箋や封筒などの紙製品、さらには壁掛けなどの種々の用途に使用されている。
【０００３】
このような和紙に小物を入れるためのポケットがあれば、使用者は独自の趣向を凝らすことができ、夢が拡がる。例えば、便箋の場合、ポケットに押し花を挿入すると、装飾効果が得られるのみならず、文字によるものとは違ったメッセージを加えることができる。
【０００４】
ポケットは和紙本体部と別途製造し、本体部に接着等により一体化することもできる（例えば、特許文献１参照）。しかし、このような接着等により一体化したものは、継ぎ目が現れ、外見上、見栄えがよくないばかりか、意外性に欠ける。
【特許文献１】特開平９−１０８０２６号公報
【発明の開示】
【発明が解決しようとする課題】
【０００５】
この発明は上記のような技術的背景に基づいてなされたものであって、次の目的を達成するものである。
この発明の目的は、ポケットが和紙本体と同じ製造工程で成形されて一体化されることにより、需用者の興味を引き、意外性に富んだポケット付き和紙を得ることができる製造方法を提供することにある。
【課題を解決するための手段】
【０００６】
この発明は上記課題を達成するために、次のような手段を採用している。
すなわち、この発明は、基層及びポケット層となる和紙部分をそれぞれ別個に漉いた後、
前記基層及びポケット層が水分を含んでいる状態で、前記基層上の所定位置に仕切板を介在させて前記ポケット層を重ね合わせ、
次いで、前記基層及びポケット層からなる含水和紙を圧搾した後、未乾燥状態で仕切り板を抜き取り、
その後、前記基層及びポケット層からなる未乾燥和紙を乾燥させることを特徴とするポケット付き和紙の製造方法にある。
【０００７】
上記製造方法において、前記基層上にポケット層を重ね合わせた後、これらの表面上に再度薄く表面層となる和紙を漉くことが望ましい。
【発明の効果】
【０００８】
この発明によれば、抄造から圧搾・乾燥に至る和紙の製造工程において、それぞれ別個に漉いた基層上にポケット層を重ね合わせるという工程を組み入れ、ポケット層を基層に一体化させるようにしたので、ポケット層と基層との間の継ぎ目はほとんど判別できず、、外見上はあたかも１枚の和紙にポケットが形成されたものとなる。したがって、需用者の興味を引き、意外性に富んだ和紙を提供することができる。
【発明を実施するための最良の形態】
【０００９】
図１はこの発明により得られたポケット付き和紙を示す斜視図、図２は図１のＡ−Ａ線矢視拡大断面図である。ポケット付き和紙１は、和紙本体である基層２と、この基層２と一体に成形されたポケット層３とからなる。図１において符号３ａがポケットを示し、３ｂはその開口部を示している。
【００１０】
ここで、和紙の主だった製造工程を工程順に示すと、次のようになる。「煮熟」→「ちり取り」→「打解」→「抄造（紙漉き）」→「圧搾」→「乾燥」。この発明は、抄造（紙漉き）工程から乾燥工程に至る間に、特殊な工程を組み入れることにより、図１，２に示したようなポケット付き和紙１を得ることができる。
【００１１】
図３は抄造工程から乾燥工程までの工程を示す図である。（イ）に示すように、基層用の漉き枠１０と、ポケット層用の漉き枠１１とを準備する。漉き枠１０，１１は方形枠の内方に網体を取り付けた周知の構造のものである。この漉き枠１０，１１により、和紙原料が入った漉き槽で基層２及びポケット層３を別個に漉く。
【００１２】
次に（ロ）に示すように、ポケット層３をその漉き枠１１から剥がし、漉き枠１２からは剥がさないままの基層２に重ね合わせる。その際、ポケット層２と基層との間には仕切板１２を介在させる。仕切板１２は厚みが２ｍｍ〜５ｍｍ程度の薄板で、プラスチックや木からなるもので、ポケットの内法幅に対応した幅を有し、また重ね合わせた基層１２から突出する長さを有している。このポケット層３の重ね合わせは、ポケット層３及び基層２が水分を含んでいる状態で行う。このとき、ポケット層３の周縁部を基層２に向けて押し付けるようにするとよい。これにより、ポケット層３及び基層２がいずれも水分を含んでいることから、ポケット層３の基層２への付着力が増す。
【００１３】
以上のようにしてポケット層３を基層２に重ね合わせたら、再度漉き枠１０でこれら基層２及びポケット層３の表面に薄く和紙を漉く（二度漉き）。
【００１４】
次に、（ハ）に示すように、漉き枠１０から基層２及びポケット層３からなる含水和紙を剥がし、圧搾する。圧搾は、人手で行ってもよいし、圧搾機で行ってもよい。
【００１５】
次に、（ニ）に示すように、圧搾した和紙から未乾燥状態で仕切板１２を抜き取る。そして、この未乾燥和紙を乾燥させて図１に示したようなポケット付き和紙ができあがる。なお、乾燥は自然乾燥でもよいし、乾燥機による強制乾燥でもよい。
【００１６】
上記のようにして製造されるポケット付き和紙は、抄造から圧搾・乾燥に至る和紙の製造工程において、それぞれ別個に漉いた基層にポケット層を重ね合わせて一体化させるようにしたので、ポケット層と基層との間の継ぎ目はほとんど判別できず、外見上はあたかも１枚の和紙にポケットが形成されたものとなる。したがって、需用者の興味を引き、意外性に富んだ和紙を提供することができる。
【００１７】
上記実施形態は例示にすぎず、この発明は種々の態様を採ることができる。例えば、上記実施形態では、基層にポケット層を重ね合わせた後、その上に再度和紙を漉いたが（二度漉き）、これは必ずしも行わなくともよく、重ね合わせ後に圧搾するようにしてもよい。しかしながら、基層とポケット層との一体性を高めるとともに、それらの継ぎ目を全く見えなくするためには、二度漉きを行うことが望ましい態様である。また、上記実施形態では、ポケットは１つのみが示されているが、複数個のポケットを持つ和紙を製造することもできる。
【図面の簡単な説明】
【００１８】
【図１】この発明の製造方法により得られたポケット付き和紙を示す斜視図である。
【図２】図１のＡ−Ａ線矢視拡大断面図である。
【図３】ポケット付き和紙の製造工程を示す図である。
【符号の説明】
【００１９】
１      ポケット付き和紙
２      基層
３      ポケット層
３ａ    ポケット
３ｂ    開口部
１０      漉き枠
１１      漉き枠
１２      仕切り板
【図１】
0004781067.tif 000002
【図２】
0004781067.tif 000003
【図３】
0004781067.tif 000004